(57)【要約】【課題】  表示装置がＳＤＲ、ＨＤＲのいずれであってもその表示装置の特性に応じた画質再生を可能にする。【解決手段】  撮像部を有し、当該撮像部より得た映像信号を記録媒体に記録する撮像装置であって、撮像部より得た映像信号をＨＤＲ映像信号に変換する第１の変換部と、第１の変換部で得たＨＤＲ映像信号をＳＤＲ映像信号に変換する第２の変換部と、第１の変換部で得たＨＤＲ映像信号、第２の変換部で得たＳＤＲ映像信号の少なくとも一方を、ＨＤＲ映像信号とＳＤＲ映像信号とを相互に変換するための変換特性を表す変換特性情報と関連付けて記録媒体に記録する制御部とを有する。【選択図】  図１
2020145625.tif 000002
【特許請求の範囲】
【請求項１】
撮像手段を有し、当該撮像手段より得た映像信号を記録媒体に記録する撮像装置であって、
前記撮像手段より得た映像信号をＨＤＲ映像信号に変換する第１の変換手段と、
該第１の変換手段で得た前記ＨＤＲ映像信号をＳＤＲ映像信号に変換する第２の変換手段と、
前記第１の変換手段で得たＨＤＲ映像信号、前記第２の変換手段で得たＳＤＲ映像信号の少なくとも一方を、前記ＨＤＲ映像信号と前記ＳＤＲ映像信号とを相互に変換するための変換特性を表す変換特性情報と関連付けて記録媒体に記録する制御手段と、
を有することを特徴とする撮像装置。
【請求項２】
前記撮像装置は複数の記録媒体を装着可能であって、
前記制御部は、
前記複数の記録媒体のうちの第１の記録媒体に、前記ＨＤＲ映像信号と前記変換特性情報とを関連付けて記録すると共に、
前記複数の記録媒体のうちの第２の記録媒体に、前記ＳＤＲ映像信号と前記変換特性情報とを関連付けて記録する
ことを特徴とする請求項１に記載の撮像装置。
【請求項３】
前記変換特性情報は、前記撮像手段で得た映像信号をＨＤＲ映像信号に変換するためのガンマ変換を表す情報、ゲインを示す情報、及び、ＳＤＲ映像を得るためのガンマ変換を表す情報が含まれることを特徴とする請求項１又は２に記載の撮像装置。
【請求項４】
記録媒体に記録された映像信号を再生する再生装置であって、
請求項１乃至３のいずれか１項に記載の撮像装置により映像が記録された記録媒体を接続する接続手段と、
該接続手段に接続された記録媒体に記録された映像信号が、ＳＤＲ映像信号であるか、ＨＤＲ映像信号であるかを判定する判定手段と、
該判定手段による判定の結果がＳＤＲ映像信号を示す場合、前記ＳＤＲ映像信号と関連付けて記録された変換特性情報からＳＤＲ映像信号をＨＤＲ映像信号に変換するための第１の変換テーブルを生成し、
前記判定手段による判定の結果がＨＤＲ映像信号を示す場合、前記ＨＤＲ映像信号と関連付けて記録された変換特性情報からＨＤＲ映像信号をＳＤＲ映像信号に変換するための第２の変換テーブルを生成する生成手段と、
前記判定手段の判定の結果に応じて、記録媒体に記憶された映像信号、前記第１の変換テーブルによる変換で得た映像信号、前記第２の変換テーブルによる変換で得た映像信号を表示装置に出力する表示制御手段とを有し、
前記表示制御手段は、
記録媒体に記録された映像信号がＳＤＲ映像信号で且つ前記表示装置がＳＤＲ表示装置である場合、または、録媒体に記録された映像信号がＨＤＲ映像信号で且つ表示装置がＨＤＲ表示装置である場合は、記録媒体に記録された映像信号を前記表示装置に出力し、
記録媒体に記録された映像信号がＳＤＲ映像信号で且つ前記表示装置がＨＤＲ表示装置である場合には、記録媒体に記録された映像信号を前記第１の変換テーブルによる変換で得た映像信号を前記表示装置に出力し、
記録媒体に記録された映像信号がＨＤＲ映像信号で且つ前記表示装置がＳＤＲ表示装置である場合には、記録媒体に記録された映像信号を前記第２の変換テーブルによる変換で得た映像信号を前記表示装置に出力する
ことを特徴とする再生装置。
【請求項５】
前記再生装置は、前記ＳＤＲ表示装置と、ＨＤＲ表示装置を接続するためのインタフェースとを有し、
前記表示制御手段は、
記録媒体にＳＤＲ映像信号が記録されている場合には、記録媒体に記録されたＳＤＲ映像信号を前記ＳＤＲ表示装置に出力し、前記第１の変換テーブルによる変換で得たＨＤＲ映像信号を、前記インタフェースを介して出力し、
記録媒体にＨＤＲ映像信号が記録されている場合には、記録媒体に記録されたＨＤＲ映像信号を、前記インタフェースを介して出力し、前記第２の変換テーブルによる変換で得たＳＤＲ映像信号を前記ＳＤＲ表示装置に出力する
ことを特徴とする請求項４に記載の再生装置。
【請求項６】
前記表示制御手段は、前記第１の変換テーブル、前記第２の変換テーブルによる変換で得た映像信号と、変換が行われたことを識別可能とするための所定の画像を合成する合成手段を含むことを特徴とする請求項４又は５に記載の再生装置。
【請求項７】
前記合成手段は、変換が行われたことを示すアイコンを前記所定の画像として、前記第１の変換テーブル、又は、前記第２の変換テーブルによる変換で得た映像信号と合成する
ことを特徴とする請求項６に記載の再生装置。
【請求項８】
前記合成手段は、変換が行われたことを示す映像の枠を示す画像を前記所定の画像として、前記第１の変換テーブル、又は、前記第２の変換テーブルによる変換で得た映像信号と合成する
ことを特徴とする請求項６に記載の再生装置。
【請求項９】
撮像手段を有し、当該撮像手段より得た映像信号を記録媒体に記録する撮像装置の制御方法であって、
前記撮像手段より得た映像信号をＨＤＲ映像信号に変換する第１の変換工程と、
該第１の変換工程で得た前記ＨＤＲ映像信号をＳＤＲ映像信号に変換する第２の変換工程と、
前記第１の変換工程で得たＨＤＲ映像信号、前記第２の変換工程で得たＳＤＲ映像信号の少なくとも一方を、前記ＨＤＲ映像信号と前記ＳＤＲ映像信号とを相互に変換するための変換特性を表す変換特性情報と関連付けて記録媒体に記録する制御工程と、
を有することを特徴とする撮像装置の制御方法。
【請求項１０】
請求項１乃至３のいずれか１項に記載の撮像装置により映像が記録された記録媒体を接続する接続手段を有し、接続された記録媒体に記録された映像信号を再生する再生装置の制御方法であって、
前記接続手段に接続された記録媒体に記録された映像信号が、ＳＤＲ映像信号であるか、ＨＤＲ映像信号であるかを判定する判定工程と、
該判定工程による判定の結果がＳＤＲ映像信号を示す場合、前記ＳＤＲ映像信号と関連付けて記録された変換特性情報からＳＤＲ映像信号をＨＤＲ映像信号に変換するための第１の変換テーブルを生成し、
前記判定工程による判定の結果がＨＤＲ映像信号を示す場合、前記ＨＤＲ映像信号と関連付けて記録された変換特性情報からＨＤＲ映像信号をＳＤＲ映像信号に変換するための第２の変換テーブルを生成する生成工程と、
前記判定工程の判定の結果に応じて、記録媒体に記憶された映像信号、前記第１の変換テーブルによる変換で得た映像信号、前記第２の変換テーブルによる変換で得た映像信号を表示装置に出力する表示制御工程とを有し、
前記表示制御工程は、
記録媒体に記録された映像信号がＳＤＲ映像信号で且つ前記表示装置がＳＤＲ表示装置である場合、または、録媒体に記録された映像信号がＨＤＲ映像信号で且つ表示装置がＨＤＲ表示装置である場合は、記録媒体に記録された映像信号を前記表示装置に出力し、
記録媒体に記録された映像信号がＳＤＲ映像信号で且つ前記表示装置がＨＤＲ表示装置である場合には、記録媒体に記録された映像信号を前記第１の変換テーブルによる変換で得た映像信号を前記表示装置に出力し、
記録媒体に記録された映像信号がＨＤＲ映像信号で且つ前記表示装置がＳＤＲ表示装置である場合には、記録媒体に記録された映像信号を前記第２の変換テーブルによる変換で得た映像信号を前記表示装置に出力する
ことを特徴とする再生装置の制御方法。
【請求項１１】
撮像手段を有するコンピュータが読み込み実行することで、前記コンピュータに、請求項１乃至３のいずれか１項に記載の撮像装置の各手段として機能させるためのプログラム。
【請求項１２】
記録媒体を接続する接続手段を有するコンピュータが読み込み実行することで、前記コンピュータに、請求項４乃至８のいずれか１項に記載の再生装置の各手段として機能させるためのプログラム。
【発明の詳細な説明】
【技術分野】
【０００１】
本発明は撮像装置及び再生装置及びそれらの制御方法及びプログラムに関するものである。
【背景技術】
【０００２】
元の信号の階調を変換して別の用途に利用するということが行われている。例えば、特許文献１のように、第１輝度範囲を持つ映像信号を第１輝度範囲より狭い第２の輝度範囲を持つ第２の映像信号を生成するためにメタデータを活用するという方法が開示されている。この技術を用いると２０００ｎｉｔｓまでの輝度範囲を持つＨＤＲ信号から１０００ｎｉｔｓまでの輝度範囲を持つＨＤＲ信号を作ることができる。そのため、表示装置の実力に応じて輝度範囲を変えた映像信号を作り出すことができるためディスプレイに応じた表示をすることが可能になる。
【先行技術文献】
【特許文献】
【０００３】
【特許文献１】特開２０１６−２０８４９９号公報
【発明の概要】
【発明が解決しようとする課題】
【０００４】
しかしながら、上記従来例では広い輝度範囲を持つ映像信号から狭い輝度範囲をもつ映像信号への変換しか考慮されていない。実際には狭い輝度範囲を持つ映像信号、例えばＳＤＲから広い輝度範囲を持つＨＤＲ信号に変換することもありうる。例えば、狭い輝度範囲を持つＳＤＲ信号として記録された映像を再生した場合にＨＤＲ信号の入力を期待しているディスプレイにそのまま入力してしまうと正しい表示ができない。正しい表示をするには、ディスプレイの設定を変えなくてはいけない。特に、ＳＤＲとＨＤＲを両方再生する場合にはその都度ディスプレイの設定を変えるのは煩雑になるという問題点があった。
【０００５】
本発明はかかる問題に鑑みなされたものであり、表示装置がＳＤＲ、ＨＤＲのいずれであっても、表示装置の特性に応じた画質再生を可能とする記録技術、又は、再生技術を提供しようとするものである。
【課題を解決するための手段】
【０００６】
この課題を解決するため、例えば本発明の撮像装置は以下の構成を備える。すなわち、
撮像手段を有し、当該撮像手段より得た映像信号を記録媒体に記録する撮像装置であって、
前記撮像手段より得た映像信号をＨＤＲ映像信号に変換する第１の変換手段と、
該第１の変換手段で得た前記ＨＤＲ映像信号をＳＤＲ映像信号に変換する第２の変換手段と、
前記第１の変換手段で得たＨＤＲ映像信号、前記第２の変換手段で得たＳＤＲ映像信号の少なくとも一方を、前記ＨＤＲ映像信号と前記ＳＤＲ映像信号とを相互に変換するための変換特性を表す変換特性情報と関連付けて記録媒体に記録する制御手段と、を有する。
【発明の効果】
【０００７】
本発明によれば、表示装置がＳＤＲ、ＨＤＲのいずれであってもその表示装置の特性に応じた画質再生が可能となる。
【図面の簡単な説明】
【０００８】
【図１】第１の実施形態の撮像装置のブロック構成図。
【図２】第１の実施形態の信号変換処理を示すフローチャート。
【図３】第２の実施形態の撮像装置のブロック構成図。
【図４】第２の実施形態の信号変換処理を示すフローチャート。
【発明を実施するための形態】
【０００９】
以下、添付図面を参照して実施形態を詳しく説明する。尚、以下の実施形態は特許請求の範囲に係る発明を限定するものでするものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１０】
［第１の実施形態］
図１は第１の実施形態の撮像装置の構成を示すブロック図である。第１の実施形態の撮像装置は、複数の記録媒体を装着可能であるものとする。そして、そのうちの１つにＨＤＲ映像信号を、もう１つにＳＤＲ映像信号を記録する例を説明する。
【００１１】
撮像レンズ１０１は被写体の光学像を撮像部１０２の撮像表面に結像する。撮像部１０２は、撮像表面に結像した光学像を光電変換し、電気信号を生成する。このため、撮像部１０２は、図示しないＣＭＯＳ素子やＣＣＤなどの撮像素子と、Ａ／変換器を含む各種制御を行う回路を含み、光学像を光の強度に応じた電気的な画像信号（１色成分当たり１０ビット）に変換する。画像信号を適切なものにするためには、撮像部１０２で光電変換できる光量範囲内になるように光量を制御する必要がある。この制御は、システム制御部１０７が撮像レンズ１０１及び撮像部１０２を制御することで実現する。
【００１２】
ＨＤＲ階調変換部１０３は、撮像部１０２の光電変換で得た画像信号をＨＤＲ（High Dynamic Range）で規定されている階調特性になるように階調変換し、現像処理を行い、ＨＤＲ映像信号を生成する。実施形態における、ＨＤＲ映像信号は、各色成分が１０ビット（１０２４階調）で表されるものとする。
【００１３】
映像変換部１０４は、ＨＤＲ階調変換部１０３で生成されたＨＤＲ映像信号から、各色成分が８ビット（２５６階調）で表わされるＳＤＲ（Standard Dynamic Range）映像信号へと変換する。この映像変換部１０４は、ＨＤＲ映像信号をＳＤＲ映像信号へと階調変換する特性を決定する階調変換データ生成部１０６と、映像信号の階調変換を行うＳＤＲ階調変換部１０５を含む。なお、本実施形態ではＳＤＲを８ビット、ＨＤＲを１０ビットとしたが、ビット数は必ずしもこれに限定されない。
【００１４】
階調変換データ生成部１０６で決定される変換特性について詳しくは後述するが、ＨＤＲ映像信号からＳＤＲ映像信号に変換する変換特性を定めている。階調変換データ生成部１０６で定められた変換特性はＳＤＲ階調変換部１０５に伝達される。これにより、ＳＤＲ階調変換部１０５は、ＨＤＲ階調変換部１０３の出力であるＨＤＲ映像信号を異なる階調を持つＳＤＲ映像信号に変換して出力することが可能になる。
【００１５】
また、階調変換データ生成部１０６は、ＨＤＲ映像信号やＳＤＲ映像信号と関連付けて保存するためのＳＤＲとＨＤＲ間の変換をするための変換特性情報も出力する。ＨＤＲ映像信号記録部１０８は、ＨＤＲ階調変換部１０３の出力であるＨＤＲ映像信号と、変換特性情報を関連付けて記録媒体１５１に記録保存する。また、ＳＤＲ映像信号記録部１０９は、ＳＤＲ階調変換部１０５の出力であるＳＤＲ映像信号と、変換特性情報を関連付けて記録媒体１５２に記録保存する。つまり、実施形態における撮像装置は、２つの記録媒体それぞれにＨＤＲ映像信号と、ＳＤＲ映像信号を同時記録する。
【００１６】
次に、ＨＤＲ映像信号をＳＤＲ映像信号に変換するための特性の決定処理をついて説明する。
【００１７】
ＨＤＲ映像とＳＤＲ映像とを同時に記録する場合、ガンマの差分だけを変換するだけでは適正露出に差があることから、両方を適正な明るさに変換できないことがある。ＨＤＲとＳＤＲが常に同じ変換ゲインで変換できれば、ガンマの差分の一部として対応することが可能であるが、実際には被写体次第で適切な変換ゲインが異なるのが普通である。そのため、正しく変換するには図２に図示するようなフローが必要になる。
【００１８】
まず、ＨＤＲ映像信号をＳＤＲ映像信号に変換する特性決定処理を図２（ａ）のフローチャートにしたがって説明する。
【００１９】
まずＳ２０１にて、映像変換部１０４は、ＨＤＲ映像信号にかかっているＨＤＲガンマをデガンマして線形な映像信号の状態にする。このデガンマに係る情報は、撮像部１０２に特有ものであり、システム制御部１０７内の不揮発叡メモリに予め格納されているものである。次に、Ｓ２０２にて、映像変換部１０４は、変換に用いるゲインを乗算する。この変換に用いるゲインは撮影者の意図で固定値にされても良いし、カメラ内に搭載されている任意のアルゴリズムによって計算したものでも良い。最後に、Ｓ２０３にて、映像変換部１０４は変換ゲインを乗算した後に、変換したいＳＤＲガンマ特性を適用することで、ＨＤＲからＳＤＲ映像信号に変換する変換特性を得る。
【００２０】
以後、この変換特性に従って、ＳＤＲ変換部１０５はＨＤＲ映像信号をＳＤＲ映像信号に変換することになる。
【００２１】
上記の通り、ＨＤＲ映像信号をＳＤＲ映像信号に変換する場合は、ＨＤＲのガンマ特性、ＳＤＲのガンマ特性、変換ゲインの３つが変換特性情報を用いることになる。
【００２２】
次にＳＤＲ映像信号をＨＤＲ映像信号に変換するための特性の決定処理を図２（ｂ）のフローチャートに従って説明する。
【００２３】
まず、Ｓ２０４にて、映像変換部１０４は、ＳＤＲ映像信号にかかっているＳＤＲガンマをデガンマして線形な映像信号の状態に戻す。次に、Ｓ２０５にて、映像変換部１０４は、線形映像信号に対し、ＨＤＲからＳＤＲの変換に用いたゲインの逆数を乗じる。この演算はＨＤＲからＳＤＲを作る場合にゲインを乗算された映像信号を元の状態に戻すために必要で、先に述べたとおり被写体によって変わることが普通である。最後にＳ２０６にて、映像変換部１０４は、変換したいＨＤＲのガンマ特性を適用することでＳＤＲ映像信号をＨＤＲ映像信号に変換する変換特性を得る。
【００２４】
上記の通り、ＳＤＲ映像信号からＨＤＲ映像信号データに変換する場合にも、ＨＤＲのガンマ特性、ＳＤＲのガンマ特性、変換ゲインの３つの変換特性情報を用いることになる。そして、これらＨＤＲのガンマ特性、ＳＤＲのガンマ特性、変換ゲインという３つの変換特性情報がわかっていれば、ＨＤＲ映像信号とＳＤＲ映像信号とを相互に変換することができる。
【００２５】
ＨＤＲ映像記録部１０８は、ＨＤＲ映像信号を記録媒体１５１に記録するとき、ＨＤＲのガンマ特性、ＳＤＲのガンマ特性、変換ゲインという３つの変換特性情報を関連付けて保存する。例えば、ＨＤＲ映像記録部１０８は、ＨＤＲ映像信号のファイルと、変換特性情報のファイルと異なる拡張子を持つ同一ファイル名で記録媒体１５１に格納する。なお、ＨＤＲ映像信号のファイルのヘッダに、変換特性情報を含めるようにしても良い。
【００２６】
一方、ＳＤＲ映像記録部１０９は、ＳＤＲ映像信号と、ＨＤＲのガンマ特性、ＳＤＲのガンマ特性、変換ゲインという３つの変換特性情報とを関連付けて、記録媒体１５２に記録する。関連付け方法は、ＨＤＲ記録部１０８と同じで良い。
【００２７】
上記の結果、例えば記録媒体１５１に記録されたＨＤＲ映像信号を、適切に変換したＳＤＲ映像信号を生成し、出力することできる。つまり、記録媒体１５１に記録されたＨＤＲ映像信号を、ＳＤＲしかサポートしない表示装置に適切出力し、再生することができることになる。
【００２８】
また、記録媒体１５２に記録されたＳＤＲ映像信号を、適切に変換したＨＤＲ映像信号を生成し、出力することできる。つまり、記録媒体１５１に記録されたＳＤＲ映像信号を、ＨＤＲ表示装置に、ＨＤＲ画質で表示出力することが可能になる。
【００２９】
［第２の実施形態］
上記第１の実施形態では映像記録に変換特性情報を関連付けるという形態について説明した。本第２の実施形態では第１の実施形態で記録した映像信号を撮像装置で再生する場合について説明する。
【００３０】
図３は本第２の実施形態における撮像装置のブロック構成図である。本第２の実施形態の撮像装置は、第１の実施形態で示した撮像装置であっても構わない。この場合、システム制御部３０３は、図１のシステム制御部１０７としても機能することになる。なお、ここでは再生を主眼として説明するので、再生には直接は関係しない撮像部等の構成は省いていることに注意されたい。
【００３１】
ここでは、記録媒体３０１が撮像装置３０２に既にマウントされており、データを読み出すことができる状態にあるものとする。なお、この記録媒体３０１は、第１の実施形態で示した記録媒体１５１、１５２のいずれかであるものとして説明する。
【００３２】
記録媒体３０１に映像ファイルとして記録されている映像は、システム制御部３０３によって映像信号として読み出し、システムメモリ３０４に展開する。また、この際、システム制御部３０３は、記録媒体３０１のファイルヘッダを解析し、システムメモリ３０４に展開した映像信号がＳＤＲ映像信号、ＨＤＲ映像信号のいずれであるかを判定し、その判定結果を示す情報を画像処理部３０６に通知する。更に、システム制御部３０３は、映像ファイルに関連付けられて記録されている変換特性情報に基づき、ＳＤＲ変換部３０８、又は、ＨＤＲ変換部３０９に対する変換テーブルを生成し、設定する（詳細後述）。
【００３３】
次に、システム制御部３０３は、システムメモリ３０４の内容を映像信号再生部３０５に転送して再生処理を行わせ映像信号を作成させる。この映像信号は画像処理部３０６にて画像処理が施され、ＳＤＲ映像信号として出力し、ＯＳＤなどを表示合成部３１２で合成した後、撮像装置が有する表示部（ＳＤＲ表示装置）３１３にて表示される。同時に、画像処理部３０６からはＨＤＲ映像信号を出力し、ＯＳＤなどを表示合成部３１４で合成した後、不図示のインタフェースを介して外部表示装置（ＨＤＲ表示装置）３１５に出力し、表示させる。
【００３４】
続いて実施形態における画像処理部３０６で行う画像処理について説明する。画像処理部３０６に入力された映像信号は、映像切替器３０７、映像切替器３１０、映像切替器３１１の３つの映像切替器によってその経路を切り替えられる。１つ目の経路は、ＨＤＲ映像信号をＳＤＲ映像信号に変換するＳＤＲ変換部３０８につながり、２つ目の経路は、ＳＤＲ映像信号をＨＤＲ映像信号に変換するＨＤＲ変換部３０９につながっている。
【００３５】
画像処理部３０６は、システム制御部３０３からの判定結果を示す情報から、システムメモリ３０４より入力された映像信号がＨＤＲ映像信号であるか、ＳＤＲ映像信号であるかを判別できる。
【００３６】
まず、システムメモリ３０４より入力された映像信号がＨＤＲ映像信号である場合について説明する。
【００３７】
画像処理部３０６は、システムメモリ３０４より入力された映像信号がＨＤＲ映像信号である場合、映像切替器３０７を制御してＡ端子を選択させ、ＳＤＲ変換部３０８へと映像信号を伝達させる。ＳＤＲ変換部３０８で行われるＨＤＲ映像信号からＳＤＲ映像信号への変換については後述する。また、画像処理部３０６は、映像切替部３１０を制御し、端子Ａを選択させる。この結果、ＳＤＲ変換部３０８から出力されるＳＤＲ映像信号は、映像切替器３１０の端子Ａ側を通り、表示合成部３１２を介して表示部３１３に出力され、表示される。また、画像処理部３０６は、映像切替部３１１を制御し、端子Ａを選択させる。この結果、システムメモリ３０４から入力したＨＤＲ信号は、映像切替器３０７を通り、且つ、映像切替器３１１のＡ端子を通り、表示合成部３１４を介して外部表示装置３１５に出力され、表示される。
【００３８】
次に、システムメモリ３０４より入力された映像信号がＳＤＲ映像信号であった場合について説明する。
【００３９】
この場合、画像処理部３０６は、映像切替器３１０を制御してＢ端子を選択させ、映像信号をＨＤＲ変換部３０９に伝達させる。ＨＤＲ変換部３０９は、入力したＳＤＲ映像信号をＨＤＲ映像信号に変換することになる。このＨＤＲ変換部３０９で行われるＳＤＲ映像信号からＨＤＲ映像信号への変換については後述する。また、画像処理部３０６は映像切替部３１０を制御してＢ端子を選択させ、映像切替部３１１を制御しＢ端子を選択させる。この結果、画像処理部３０６はシステムメモリ３０４から入力したＳＤＲ映像信号は、映像切替器３１０、表示合成部３１２を介して、表示部３１３に供給され、ＳＤＲ映像として表示される。一方、ＨＤＲ変換部３０９より得たＨＤＲ映像信号は、映像切替器３１１、表示合成部３１４を介して、外部表示装置３１５に出力され、ＨＤＲ画質の映像が表示されることになる。
【００４０】
図４（ａ）、（ｂ）は、ＨＤＲ映像信号、ＳＤＲ映像信号間の変換に係るシステム制御部３０３の処理を示すフローチャートである。このフローチャートに示される処理は、映像再生処理前に行うものである。
【００４１】
まず、ＨＤＲ映像信号からＳＤＲ映像信号への変換に係るシステム制御部３０３の処理を図４（ａ）のフローチャートを参照して説明する。
【００４２】
Ｓ４０１にて、システム制御部３０３は、ＨＤＲ映像信号と関連付けられた変換特性情報を読み出す。Ｓ４０２にて、システム制御部３０３は、Ｓ４０１で得られた変換特性情報に含まれるＨＤＲ信号のガンマ特性の逆変換を行って、映像信号をリニアな映像信号に戻すためのデガンマの曲線を表すテーブルを作成する。次に、Ｓ４０３にて、システム制御部３０３は、Ｓ４０２にて作成したテーブルを、Ｓ４０１で得られた変換特性情報に含まれるＨＤＲ−ＳＤＲ変換ゲインに応じて修正する。最後にＳ４０４にて、ステム制御部３０３は、Ｓ４０１で得られた変換特性情報に含まれるＳＤＲ信号のガンマ特性を、テーブルに適用し、ＨＤＲ映像信号をＳＤＲ映像信号に変換するたけのＨＤＲ−ＳＤＲ変換テーブル（各色成分につき、１０ビット入力８ビット出力のテーブル）を完成し、画像処理部３０６のＳＤＲ変換部３０６に設定する。
【００４３】
次に、ＳＤＲ映像信号からＨＤＲ映像信号への変換に係るシステム制御部３０３の処理を図４（ｂ）のフローチャートを参照して説明する。
【００４４】
Ｓ４０５にて、システム制御部３０３は、ＳＤＲ映像信号と関連付けられた変換特性情報を読み出す。Ｓ４０６にて、システム制御部３０３は、Ｓ４０５で得られた変換特性情報に含まれるＳＤＲ信号のガンマ特性の逆変換を行い、映像信号をリニアな映像信号に戻すためのデガンマの曲線を表すテーブルを作成する。次に、Ｓ４０７にて、システム制御部３０３は、Ｓ４０６にて作成したテーブルを、Ｓ４０５で得られた変換特性情報に含まれるＳＤＲ−ＨＤＲ変換ゲインに応じて修正する。最後にＳ４０８で、システム制御部３０３は、Ｓ４０５で得られた変換特性情報に含まれるＨＤＲ信号のガンマ特性を、テーブルに適用することでＳＤＲ映像信号をＨＤＲ映像信号に変換するＳＤＲ−ＨＤＲ変換テーブル（各色成分につき、８ビット入力１０ビット出力のテーブル）を完成し、画像処理部３０６のＨＤＲ変換部３０６に設定する。
【００４５】
ここまで説明してきた方法でＨＤＲ映像信号とＳＤＲ映像信号の相互変換をしたときに、犠牲になる性能もある。例えば、ガンマ変換、デガンマ変換、ゲイン乗算、ゲイン逆数乗算は有限のディジタル処理で行う場合、変換誤差が発生する。また、ＨＤＲ信号が保持している高輝度被写体の情報はＳＤＲ信号ではクリップされ丸められてしまう。そのため、表示部３１３や外部表示装置３１５に出力している信号がオリジナルの映像信号なのか、変換によって出力されている映像信号なのかをユーザに知らせる事が必要になる。
【００４６】
本実施形態では、表示合成部３１２と表示合成部３１４がその役割を果たす手段になる。例えば、ＨＤＲ映像信号から変換によってＳＤＲ映像信号を出力している場合、システム制御部３０３は、表示合成部３１２を制御し、ＨＤＲ→ＳＤＲへの変換を行っていることを示すアイコンを、ＳＤＲ映像信号に合成させ、この合成映像信号を表示部３１３に表示させる。
【００４７】
逆にＳＤＲ映像信号から変換によってＨＤＲ映像信号を出力している場合、システム制御部３０３は、表示合成部３１４を制御し、ＳＤＲ→ＨＤＲへの変換を行っていることが識別可能な所定のアイコンを、ＨＤＲ映像信号に合成させ、この合成映像信号を外部表示装置３１５に表示させる。
【００４８】
上記ではアイコンを合成することで映像信号を変換している事実をユーザに伝える例で説明したが、アイコンを表示することで、撮影被写体が見づらくなることも考えられる。そのため、映像の周辺の枠部分に特定の色相、輝度の枠を合成するという方法も考えられる。この場合も、表示合成部３１２と表示合成部３１４を使って実現することができる。
【００４９】
上記第２の実施形態では、ＳＤＲ映像信号をＨＤＲ映像信号に変換するために変換テーブルを用いる例を説明したが、所定のアルゴリズムに基づく演算による変換を行ってもよい。例えば、被写体の特性や撮影条件に応じて変換特性を異ならせるようにする場合は、ＬＵＴを用いるよりも被写体の特性や撮影条件などをパラメータとした演算を用いる変換が適している。また第２の実施形態では、撮像装置に適用する例を示したが、ＰＣ等、映像信号を記録した記録媒体が読取可能であり、且つ、表示装置を有する再生装置として機能すればよく、撮像装置に限定されるものではない。この場合、再生装置は、記録媒体に記録された映像信号がＳＤＲ、ＨＤＲ映像信号のいずれであるかの判定を行うと共に、接続された表示装置がＳＤＲ表示装置、ＨＤＲ表示装置であるかに応じて表示制御すればよい。
【００５０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５１】
発明は上記実施形態に制限されるものではなく、発明の精神及び範囲から離脱することなく、様々な変更及び変形が可能である。従って、発明の範囲を公にするために請求項を添付する。
【符号の説明】
【００５２】
１０１…撮像レンズ、１０２…撮像部、１０３…ＨＤＲ階調変換部、１０４…映像変換部、１０５…ＳＤＲ階調変換部、１０６…階調変換データ生成部、１０７…システム制御部、１０８…ＨＤＲ映像データ記録部、１０９…ＳＤＲ映像データ記録部、１５１、１５２…記録媒体
【図１】
2020145625.tif 000003
【図２】
2020145625.tif 000004
【図３】
2020145625.tif 000005
【図４】
2020145625.tif 000006